(57)【要約】【課題】  水平器の操作性の向上及び水平器本体に内蔵する気泡式水準器の損傷、破損を防止することを目的とする。【解決手段】  測定対象物の水平または垂直状態を測定する複数個の気泡式水準器４、５を内蔵した水平器１に少なくとも１個以上の持ち手２を装着した。また前記持ち手２が略コ字状の握り部２ａとその脚部を支持する支持板２ｂとから構成され、該支持板２ｂを水平器１の測定基準面と対向する面に取り付けた。【選択図】図１
2005265487.tif 000002
【特許請求の範囲】
【請求項１】
測定対象物の水平または垂直状態を測定する複数個の気泡式水準器（４、５）を内蔵した水平器（１）に少なくとも１個以上の持ち手（２）を装着したことを特徴とする持ち手付き水平器。
【請求項２】
前記持ち手（２）が略コ字状の握り部（２ａ）とその脚部を支持する支持板（２ｂ）とから構成され、該支持板（２ｂ）を水平器（１）の測定基準面と対向する面に取り付けた請求項１記載の持ち手付き水平器。
【発明の詳細な説明】
【技術分野】
【０００１】
本発明は土木、建築の工事現場等において水平度、垂直度等の設定、測定を行う水平器に関し、該水平器の取り扱い性の向上を図ったものである。
【背景技術】
【０００２】
通常、水平器と呼ばれるものは、長尺な矩形の平板に少なくとも１個以上の気泡式水準器を配設したものであり、用途としては被測定物の水平度または垂直度を調べる物である。該水平器の形状としては断面形状が方形となる中空状のボックス型と呼ばれる物と、Ｉ型の断面形状となるＩビーム型またはH型と呼ばれる物とが主流となっている。そして該水平器を取り扱う際は任意の部分を鷲掴みにしたり、指と指との間に挟んで持ったり手の平と指とを使って把持したりする。また水平器自体に設けられた開口部に指を差込んで手の平とで把持する物もある。
【０００３】
一方、先行技術の実例として挙げた特許文献1では特殊なサイドカバーをＩビーム型の水平器に装着して該水平器の把持性を改善するとなっている。
【特許文献１】特開２０００−３３７８７４号公報
【発明の開示】
【発明が解決しようとする課題】
【０００４】
従来の気泡式水準器を複数個収容した長尺な水平器は、ボックス型、Ｉビーム型のどちらにおいても測定する部分と該水平器を取り扱う部分とが共用されている為、作業中の汚れた手で握ったりすると水平器が汚れてしまう事がある。また気泡式水準器を取付けてある以上、水平器も簡易ながら精度を要求される測定器具であるので出来るだけ気泡式水準器には手を触れず測定出来る方が良い。しかしながら煩雑な作業時においては、頻繁に気泡式水準器に指や手の平が触れてしまうので気泡式水準器が汚損したり、傷が付く可能性から逃れられない。
【０００５】
そしてまた長時間連続的に使用する場合、測定者は把持した指や手の平に力を加え続けねばならず、指先や腕に相当な苦痛を感じるものである。こういった測定の事例として、片手で壁板を支えながら片手で水平器を壁板に押し当てて垂直度測定を連続的に行なって板壁を造って行く作業が有る。
【０００６】
更に言えば市販の水平器においては持つ部分が独立していない事により、測定者が取り扱っている最中に水平器を取り落とす事もよくある事である。その為市販の水平器を取り扱う際は充分な注意が必要である。
【０００７】
また一般的な市販の水平器の長さは３０ｃｍ〜６０ｃｍ程であるがそれ以上の長さの物も有り、中には全長が１.８ｍになる物や特注品であれば３.５ｍになる物も有るので重量も有る事から取り扱いには注意を要する上、測定者の肉体的、精神的負担も長さに応じて増して来る。
【０００８】
一方、先行技術の実例として挙げた特許文献１では特殊なサイドカバーを水平器に装着して該水平器の把持性を改善するとなっているが構造の複雑さと装着に手間が掛かる事が難点である。またＩビーム型断面を持つ水平器にのみ有効のようであり、ボックス型と呼ばれる物には対応していないようである。しかしながら水平器を把持し続けての垂直度の連続的測定ではＩビーム型のみならずボックス型でも指先や腕に相当な苦痛を感じるものである。
【０００９】
論を変えて、水平器以外での道具や品物での把持性について述べると、およそ人が手で物を掴んで持つ場合、親指と他の４本の指とがしっかりと対象物を手の平に包み込んだ状態が一番力を入れやすく、また指や手や腕に掛かる負担が少ない様である。
例えば水の入ったバケツの取手を持つ場合、それぞれの指が中途半端な位置にある様な持ち方をすると指や手や腕に掛かる負担が大きくなるし、力も入れ難くなるので作業者は取手の握り方を工夫する事で出来るだけ肉体的負担が少なく、また力が入れやすい様にするものである。
【００１０】
また軽い紙袋を持った場合などにおいても指の先で挟んだり、指と手の平とで支える様な持ち方をすることが多いがこの場合でも長時間持ち続ければ指や手や腕に掛かる負担は取手の無いバケツ程ではないしても小さな物ではない。
逆に言えば、上述のような軽い紙袋にも手に下げられる様な形状の箇所が有る物であれば長時間持ち続けていてもそれほど肉体的な負担は感ぜずに済むし、また取り扱いにも便利である。つまり人が手で物を掴んで持つ場合、形状や寸法などが工夫された、専用の持つ部分が用意されてあれば指や手や腕に掛かる肉体的負担も最小限に抑えることが出来るし、その物自体の取り扱いも容易、かつ便利になるはずである。
【００１１】
その為、世の中の様々な品物の中には握り手、持ち手、把手、取手、柄、持ち手、ハンドルなどといった名前の物が取り付けられ、または一体的に形成されて使用されている物がある。
【００１２】
しかしながら、水平器にはこの持ち手がついていないため取り扱う場合においては鷲掴みにしたり、指や手の平を使って把持する事が常態であるから指や手や腕に負担が掛かり、作業者は無意識の内にきつい作業を強いられる事になる。本発明はかかる不具合を解決して水平器の操作性の向上及び水平器本体に内蔵する気泡式水準器の損傷、破損を防止することを目的とする。
【課題を解決するための手段】
【００１３】
本発明は、請求項１記載の通り、測定対象物の水平または垂直状態を測定する複数個の気泡式水準器４、５を内蔵した水平器１に少なくとも１個以上の持ち手２を装着したことを特徴とする。また請求項２記載の通り、前記持ち手２が略コ字状の握り部２ａとその脚部を支持する支持板２ｂとから構成され、該支持板２ｂを水平器１の測定基準面と対向する面に取り付けたことを特徴とする。
【発明の効果】
【００１４】
以上まで説明したように市販の水平器に持ち手を取り付ける事により、水平器自体の取扱いが容易になる。また垂直度の連続的測定を行なう場合や長い寸法の水平器を扱う場合など測定者の肉体的、精神的負担が大きい場合にも有効である。そして測定者が水平器本体を直接、手で扱わずに済むようになる為、気泡式水準器の汚損や損傷も少なからず免れる事が出来る。
【発明を実施するための最良の形態】
【００１５】
本発明は、市販のボックス型、Ｉビーム型とを問わず気泡式水準器を複数個収容した長尺な水平器の任意の場所に持ち手を取り付ける事で操作性の良い水平器に改良が出来るものであり、また最初から持ち手と水平器とが一体的に成型された製品も考えられるし、その他、水平器本体に持ち手が収納または着脱可能な製品も考えられる。いずれにしても持ち手を付ける事は測定者の負担を減らし、かつ、水平器の汚損や損傷を防止する事にある。尚、持ち手の形状や配色は様々なものが考えられて良いし、また取付け位置や取付け個数は水平器毎に任意に検討すれば良い。
【実施例１】
【００１６】
本発明は、図１に示すように少なくとも１個以上の気泡式水準器４、５を内蔵した長尺な水平器１に持ち手２を装着したものであり、そしてこの持ち手２は、図２に示すように、測定者が5本の指と手の平とで充分に握ることが出来る様な略コ字状の握り部２ａとその脚部を支持する支持板２ｂとから構成されている。そしてこの支持板２ｂを水平器１の測定基準面と対向する面にビス３で締め付け固定するようにした。すなわち水平器１の上面に締め付け固定して、計測するときに持ち手２を握って水平器１を対象物に押し当て測定するようにした。
【００１７】
かくして水平器１と持ち手２と分離し独立させたことにより、持ち手２を水平器の操作取り扱い部として、また水平器本体１を測定部として明確に分離して使用できる。水平器本体１の下面部は測定基準面として用いられ、水平度測定用の気泡式水準器４が水平器の上面部に１個設けられ、そして上面部と実質的に垂直な面に垂直度測定用の気泡式水準器５が１個設けられている。
【実施例２】
【００１８】
図３は寸法の長い水平器１の上部の左右両端に実施例1の持ち手２を1個ずつ各取付けたものである。左右両端に取付ける事により2名の作業者が持ち手２を持って取り扱うようにした事が特徴である。
【００１９】
本器の使い方としては測定者が持ち手２を握って水平器１を取り扱う事以外は従来の市販の水平器での水平度、垂直度の設定、測定方法と何ら変わりは無く、被測定物に測定基準面を当てて既設の気泡式水準器により水平度または垂直度を測定する。しかしながら前述のように持ち手２を握って取り扱う事によって測定者が測定作業を行なう際の肉体的、精神的負担は大幅に低減され、水平器自体の汚損、損傷も少なからず免れる事が出来る。また持ち運びにも便利であり、寸法が長く、大きな水平器の場合には左右に1個ずつ取り付け、２人で持ち運んで設定作業や測定作業をする事も出来るので測定者が一人で取り扱う場合に比べて精神的にも肉体的にも負担が軽減される。
【図面の簡単な説明】
【００２０】
【図１】本発明の実施例1の構造を示した斜視図である。
【図２】実施例１の持ち手の斜視図である。
【図３】持ち手を２個取り付けた実施例２の正面図である。
【符号の説明】
【００２１】
１  水平器本体
２  持ち手
３  取付けビス
４  水平測定用気泡式水準器
５  垂直測定用気泡式水準器
【図１】
2005265487.tif 000003
【図２】
2005265487.tif 000004
【図３】
2005265487.tif 000005